(57)【要約】  【課題】簡易な構成で簡単に設置でき、確実に獣を拘束することのできるくくり罠を提供する。  【解決手段】ロープ１２で形成されたくくり輪１３により獣の体の一部を締め付けて拘束するくくり罠１０は、仕掛け時にくくり輪１３の中に設置される第一踏み板２１及び第二踏み板３１と、第一踏み板２１を第一水平回動軸回りに、第二踏み板３１を第二水平回動軸回りにそれぞれ回動可能に支持して連結する回動連結部材４０であって、仕掛け時に略同一水平面上にある踏み板２１，３１を、第一当接側面２２と第二当接側面３２とを対向させた状態で軸支する回動連結部材４０と、回動連結部材４０に支持された第一踏み板２１と第二踏み板３１とを引き寄せるように付勢する弾性部５０と、を備えるトリガー装置２０を備え、トリガー装置２０は、所定の大きさ以上の力が踏み板２１，３１に加わった場合にだけ作動するように構成されている。【選択図】図１
2018007607.tif 000002
【特許請求の範囲】
【請求項１】
ロープで形成されたくくり輪により獣の体の一部を締め付けて拘束するくくり罠において、
仕掛け時に前記くくり輪の中に設置される第一踏み板及び第二踏み板と、
前記第一踏み板を第一水平回動軸回りに、前記第二踏み板を前記第一水平回動軸と平行な第二水平回動軸回りにそれぞれ回動可能に支持して連結する回動連結部材であって、仕掛け時に略同一水平面上にある前記第一踏み板及び前記第二踏み板を、前記第一水平回動軸に平行な前記第一踏み板の第一当接側面と、前記第二水平回動軸に平行な前記第二踏み板の第二当接側面とを対向させた状態で軸支する回動連結部材と、
仕掛け時に前記回動連結部材に支持された略同一水平面上にある前記第一踏み板と前記第二踏み板とを引き寄せることで、前記第一当接側面と前記第二当接側面とを接触させて、前記第一踏み板及び第二踏み板が回動できないように付勢する弾性部と、
を備えるトリガー装置を備え、
前記トリガー装置は、前記第一踏み板と前記第二踏み板の少なくとも一方が獣によって踏まれて所定の大きさ以上の力が加わった場合にだけ、前記弾性部の弾性力に抗して前記第一踏み板及び前記第二踏み板が回動して作動するように構成されていることを特徴とするくくり罠。
【請求項２】
前記回動連結部材は、略同一水平面上にある前記第一踏み板と第二踏み板とが離れる方向にスライド可能に前記第一踏み板及び前記第二踏み板を軸支していることを特徴とする請求項１記載のくくり罠。
【請求項３】
前記回動連結部材は、前記第一踏み板及び前記第二踏み板の左右両側に設置された棒状部材であり、前記棒状部材は、左右両側から前記第一水平回動軸上で前記第一踏み板を軸支すると共に、左右両側から前記第二水平回動軸上で前記第二踏み板を軸支しており、
前記弾性部は、仕掛け時に、一端が前記第一水平回動軸の外側で前記第一踏み板に接続され、他端が前記第二水平回動軸の外側で前記第二踏み板に接続され、前記第一踏み板と前記第二踏み板とを引き寄せる方向に付勢する弾性バネを備える、ことを特徴とする請求項１又は２記載のくくり罠。
【請求項４】
前記トリガー装置が作動すると、前記弾性部の弾性力により、回動して上昇した前記第一踏み板の第一後面近傍と、回動して上昇した前記第二踏み板の第二後面近傍とが、前記第一踏み板と前記第二踏み板の少なくとも一方を踏んだ獣の脚を挟み込むように構成されていることを特徴とする請求項３記載のくくり罠。
【請求項５】
前記弾性バネは、仕掛け時に前記回動連結部材の傍で並行に延在すると共に、その中央部分が前記回動連結部材の中央部分に固定されていることを特徴とする請求項３又は４記載のくくり罠。
【発明の詳細な説明】
【技術分野】
【０００１】
本発明は、くくり輪で獣の体の一部を締め付けて拘束するくくり罠に関する。
【背景技術】
【０００２】
従来から、獣が踏み板等を踏んだ動きに連動してくくり輪を締め付け、獣の脚等を拘束するくくり罠が提供されており、例えば、下記特許文献１乃至４に開示されている。下記特許文献１，２には、踏み板等を設置した場所の下にある程度の深さの穴を掘っておき、踏み板等を踏んだ獣の脚が穴の中に落下することで、くくり罠を作動させる構成が開示されている。
【０００３】
また、特許文献３，４には、本発明者らが提案したくくり罠であって、踏み板の設置場所の下に穴を掘らなくても、踏み板の短いストロークで作動可能なくくり罠が開示されている。
【先行技術文献】
【特許文献】
【０００４】
【特許文献１】特開平９−１４９７５４号公報
【特許文献２】特開２０１４−２３３２２１号公報
【特許文献３】実用新案登録第３１７５８４９号公報
【特許文献４】実用新案登録第３１８７７６９号公報
【発明の概要】
【発明が解決しようとする課題】
【０００５】
しかし、一般に猪等の警戒心の強い獣は、歩行中に前に踏み出した脚が地面よりも下に抵抗無く沈んでしまうと、警戒して直ぐに脚を引っ込めてしまう習性がある。特許文献１，２に開示されたくくり罠では、猪の脚が穴の中にほとんど抵抗無く沈んでしまうため、くくり輪に拘束される前に猪が脚を引っ込めてしまって逃げられてしまうケースがあった。
【０００６】
また、踏み板の短いストロークで作動可能な特許文献３，４に開示されたくくり罠では、地上に設置される部材が大きくて目に付きやすいため、猪が警戒してくくり罠に引っ掛からないケースがあった。
【０００７】
本発明は、このような課題に鑑みてなされたものであり、簡易な構成で簡単に設置でき、確実に獣を拘束することのできるくくり罠を提供することを目的とする。
【課題を解決するための手段】
【０００８】
上記課題を解決するために、本発明に係るくくり罠は、ロープで形成されたくくり輪により獣の体の一部を締め付けて拘束するくくり罠において、仕掛け時に前記くくり輪の中に設置される第一踏み板及び第二踏み板と、前記第一踏み板を第一水平回動軸回りに、前記第二踏み板を前記第一水平回動軸と平行な第二水平回動軸回りにそれぞれ回動可能に支持して連結する回動連結部材であって、仕掛け時に略同一水平面上にある前記第一踏み板及び前記第二踏み板を、前記第一水平回動軸に平行な前記第一踏み板の第一当接側面と、前記第二水平回動軸に平行な前記第二踏み板の第二当接側面とを対向させた状態で軸支する回動連結部材と、仕掛け時に前記回動連結部材に支持された略同一水平面上にある前記第一踏み板と前記第二踏み板とを引き寄せることで、前記第一当接側面と前記第二当接側面とを接触させて、前記第一踏み板及び第二踏み板が回動できないように付勢する弾性部と、を備えるトリガー装置を備え、前記トリガー装置は、前記第一踏み板と前記第二踏み板の少なくとも一方が獣によって踏まれて所定の大きさ以上の力が加わった場合にだけ、前記弾性部の弾性力に抗して前記第一踏み板及び前記第二踏み板が回動して作動するように構成されていることを特徴とする。
【発明の効果】
【０００９】
本発明に係るくくり罠によれば、簡易な構成で簡単に設置でき、作動時には高い確率で獣を拘束することができる。
【図面の簡単な説明】
【００１０】
【図１】図１は、本発明の実施形態に係るくくり罠の斜視図である。
【図２】図２は、本発明の実施形態に係るトリガー装置の正面図である。
【図３】図３は、本発明の実施形態に係るトリガー装置の正面図である。
【図４】図４は、本発明の実施形態に係るトリガー装置の正面図である。
【図５】図５は、本発明の実施形態の変形例に係るくくり罠の斜視図である。
【発明を実施するための形態】
【００１１】
以下、図面を参照しながら、本実施形態に係るくくり罠について説明する。本実施形態では、獣として猪を捕まえる場合を例に挙げて説明する。図１は、本実施形態に係るくくり罠の斜視図であり、作動前の仕掛けた状態を示している。図２乃至図４は、本実施形態に係るトリガー装置の正面図であり、図２は、作動前の仕掛けた状態、図３は、作動し始めた直後の状態、図４は、作動後の猪の脚に絡んだ状態を示している。なお、図２においては、弾性バネを一部省略して表している。
【００１２】
くくり罠１０は、獣の体の一部を締め付けて拘束するためのロープ部１１と、くくり罠１０を作動させるためのトリガー装置２０とを備えている。ロープ部１１は、鋼の素線を撚り合わせて作られたワイヤロープ１２と、締付金具１６とを備えている。
【００１３】
ワイヤロープ１２の先端側には、ワイヤロープ１２の先端に固定された締付金具１６により、くくり輪１３が形成されている。くくり罠１０を仕掛けて設置する際、ワイヤロープ１２の根元側端部は、くくり罠１０が設置されている場所に生えている木の幹や、地中に打ち込まれた杭等の地面に対して安定して固定された物体に固定されている。
【００１４】
よって、くくり罠１０が作動して、猪の脚に絡んだくくり輪１３が引っ張られると、地面に対して固定されたワイヤロープ１２の根元側が、くくり輪１３が小さくなるように相対的に引っ張られ、くくり輪１３の中に位置する猪の脚がワイヤロープ１２によって締め付けられる。
【００１５】
ワイヤロープ１２のくくり輪１３よりも根元側の部分には、図示しないスイベル（よりもどし）が設置されている。スイベルは、二つのリングがワイヤロープ１２の延在方向を軸として互いに回動自在に連結された連結具であり、くくり輪１３に拘束された猪が暴れたときに、ワイヤロープ１２の捻れを解消し、絡んだりするのを防止することができる。
【００１６】
トリガー装置２０は、第一踏み板２１と、第二踏み板３１と、第一踏み板２１と第二踏み板３１とをそれぞれ回動自在に連結する回動連結部材４０と、弾性部５０とを備えている。第一踏み板２１及び第二踏み板３１は、仕掛け時にくくり輪１３の中に設置される板状部材であり、第一踏み板２１と第二踏み板３１の少なくとも一方が猪に踏まれることで、トリガー装置２０が作動して、それによってくくり罠１０が作動する。
【００１７】
第一踏み板２１及び第二踏み板３１は、所定の厚みを有する略長方形状の板状部材であり、同じ形状である。本実施形態では、第一踏み板２１の回動軸を第一水平回動軸、第二踏み板３１の回動軸を第二水平回動軸と称し、第一水平回動軸と第二水平回動軸とは平行である。
【００１８】
踏み板２１，３１の水平回動軸に垂直な水平方向を縦方向、回動軸に平行な水平方向を横方向として、縦12cm、横13cm、厚み1.5cmである。第一踏み板２１及び第二踏み板３１は、仕掛け時に、略同一水平面上に並べて設置されるように回動連結部材４０により支持されている。
【００１９】
第一踏み板２１及び第二踏み板３１は、それぞれの鉛直側面である第一当接側面２２と第二当接側面３２とを向かい合わせて接触させた状態で設置される。第一踏み板２１の左右両側（両脇）の側面である第一側面２３には、回動連結部材４０により軸支される軸穴２４が両側にそれぞれ形成されている。軸穴２４は、両第一側面２３の水平方向（第一踏み板２１の水平回動軸に垂直な水平方向）において、中央付近に形成されている。
【００２０】
また、両第一側面２３の中央部分よりも第一当接側面２２から離れた部分には、弾性部５０が接続されるピンであるバネ接続部２５が形成されている。同様に、第二踏み板３１の左右両側（両脇）の側面である第二側面３３には、軸穴３４、バネ接続部３５が形成されている。なお、軸穴２４，３４は、水平方向に長軸が位置する長穴である。
【００２１】
第一踏み板２１の上面の第一当接側面２２と逆側の第一後面２６側の端部には、拘束時に猪の脚に食い込ませるための突起部２９が設置されている。第一踏み板２１の第一後面２６側の端部の隅付近には、仕掛け時にワイヤロープ１２を一時的に係止しておくための鉤状のロープ係止部２８が設置されている。
【００２２】
また、同様に、第二踏み板３１の第二後面３６側の端部には、突起部３９が設置され、第二後面３６側の端部の隅には、ロープ係止部３８が設置されている。
【００２３】
回動連結部材４０は、断面形状がＬ形である材軸方向に長い棒状部材であり、踏み板２１，３１の左右両側にそれぞれ設置されている。回動連結部材４０は、その両端に設置された、踏み板２１，３１を回動可能に軸支する回動軸４１を備えている。具体的には、回動軸４１は材軸方向と直交する水平方向に延在するピンであり、踏み板２１，３１の軸穴２４，３４に挿入されることで、踏み板２１，３１を回動可能に軸支する。第一踏み板２１を軸支する回動軸４１は、第一水平回動軸上に位置し、第二踏み板２１を軸支する回動軸４１は、第二水平回動軸上に位置する。
【００２４】
上述したように、軸穴２４，３４は、材軸方向（水平方向）に長軸が位置する長穴であり、回動軸４１の直径よりも3mm程度水平方向に長く形成されている。よって、本実施形態では、回動軸４１は、軸穴２４，３４に挿入した状態で、回動連結部材４０の材軸方向に3mm程度スライド自在に構成されている。
【００２５】
弾性部５０は、強力なコイルバネである弾性バネ５１と、弾性バネ５１の中央部分を回動連結部材４０の中央部分に連結固定するためのバネ固定部材５３とを備えている。弾性バネ５１は、踏み板２１，３１の左右両側にそれぞれ設置されている。各弾性バネ５１は、一端が第一側面２３のバネ接続部２５に接続され、他端が第二側面３３のバネ接続部３５に接続され、回動連結部材４０の傍で並行に延在すると共に、バネ接続部２５とバネ接続部３５とを引き合うように付勢している。
【００２６】
よって、第一踏み板２１と第二踏み板３１とが第一当接側面２２と第二当接側面３２とを向かい合わせて並べて設置した仕掛け時には、図２に示すように、第一踏み板２１と第二踏み板３１とは弾性バネ５１により強力に引き寄せられており、回動軸４１は、長穴である軸穴２４，３４の内側（当接側面２２，３２側）に寄った状態となっている。
【００２７】
断面Ｌ形の回動連結部材４０の下面は、弾性バネ５１が回動連結部材４０よりも下方に移動しないように規制する規制壁４３として機能している。これにより、第一踏み板２１と第二踏み板３１とが水平に並べられた仕掛けた状態から、第一当接側面２２や第二当接側面３２が上方に動く方向に踏み板２１，３１が回動しようとすると、弾性バネ５１が規制壁４３に当接してそれ以上動けなくなる。
【００２８】
このように、弾性バネ５１の下側に弾性バネ５１と平行に延在する規制壁４３を設置することで、踏み板２１，３１の回動方向を当接側面２２，３２が下方に移動する方向だけに限定することができる。
【００２９】
また、本実施形態では、弾性バネ５１の中央部分をバネ固定部材５３により回動連結部材４０の中央部分に連結固定しているため、図４に示すように、踏み板２１，３１が回動して、バネ接続部２５とバネ接続部３５とが近付いた場合でも、弾性バネ５１が、バネ接続部２５とバネ接続部３５との間に直線的に張架されるのではなく、回動連結部材４０の中央部分を経由して張架されるようになるため、弾性バネ５１の全長を確保することができる。
【００３０】
これにより、トリガー装置２０が作動した状態で、第一踏み板２１の第一当接側面２２と第二踏み板３１の第二当接側面３２とを引き寄せる力を弱めることなく、強力な弾性力で第一踏み板２１と第二踏み板３１とにより猪の脚を挟み込むことができる。
【００３１】
続いて、トリガー装置２０の作用について、図２乃至図４を参照しながら説明する。上述した構成において、作動前の仕掛けた状態のトリガー装置２０は、図２に示すように、第一当接側面２２と第二当接側面３２とを付き合わせて、第一踏み板２１と第二踏み板３１とが略同一水平面上に並んで設置された状態で、弾性バネ５１により第一踏み板２１と第二踏み板３１とが圧接するように引き寄せられている。
【００３２】
ここで、第一当接側面２２及び第二当接側面３２は鉛直平面であり、水平状態にある踏み板２１，３１が回動軸４１回りに回動するためには、回動軸４１に対して最大径となる当接側面２２，３２の上下縁部分が、回動軸４１を含む水平面において当接側面２２，３２が位置していた位置よりも回動外側の位置を通過する必要がある。
【００３３】
しかし、仕掛けた状態では、弾性バネ５１の弾性力により、第一当接側面２２と第二当接側面３２とが引き寄せられて接触しており、接触したままでは当接側面２２，３２の上下縁部分の回動最大径部分が回動軸４１を含む水平面を通過することができず、踏み板２１，３１を回動させることはできない。踏み板２１，３１を回動させるためには、弾性バネ５１の弾性力に逆らって第一踏み板２１と第二踏み板３１とを引き離す必要がある。
【００３４】
上述したように、本実施形態では、軸穴２４，３４が長穴であり、引き寄せられている踏み板２１，３１は、離れる方向において3mm程度スライド可能である。よって、弾性バネ５１の弾性力に逆らって第一踏み板２１と第二踏み板３１とを離れる方向にスライドさせて引き離すことで、踏み板２１，３１の回動最大径部分が回動軸４１を含む水平面を通過することができ、踏み板２１，３１を回動軸４１回りに回動させることができる。
【００３５】
このように、本実施形態では、くくり罠１０を仕掛けた状態で、弱い力で踏み板２１，３１を押しても、踏み板２１，３１が回動すること、すなわちトリガー装置２０が作動することはなく、弾性バネ５１の弾性力に逆らうことのできる所定の大きさ以上の力を踏み板２１，３１に加えることで、初めて踏み板２１，３１を回動させて、トリガー装置２０を作動させることができる。
【００３６】
猪は、歩行中に前に踏み出した脚に体重が掛かる前に脚が地面よりも下にほとんど抵抗無く沈んでしまうと、警戒して直ぐに脚を引っ込めてしまう習性がある。よって、体重の掛かっていない脚が載っただけの状態の弱い力で踏み板２１，３１が回動し始めてしまうと、後述するように踏み板２１，３１が回動して脚を挟み込む前に、猪が脚を引っ込めてしまって、くくり罠１０から逃げられてしまう。
【００３７】
これに対して、本実施形態のように、弱い力では踏み板２１，３１が作動せず、体重が掛かるような所定の大きさ以上の強い力が作用する場合にだけ、踏み板２１，３１が回動してトリガー装置２０が作動するように構成することで、猪が踏み板２１，３１を踏んだ脚を直ぐに引っ込めるのを困難にし、くくり罠１０が作動している途中に猪が逃げるのを防ぐことができる。
【００３８】
第一当接側面２２と第二当接側面３２との係合が外れると、図３に示すように、軸穴２４，３４の外側に位置し、当接側面２２，３２が下方に移動したことで上昇したバネ接続部２５，３５が、弾性バネ５１により強力に引き寄せられ、第一踏み板２１及び第二踏み板３１の双方が一気に回動する。図３においては、第一踏み板２１は反時計回りに回動し、第二踏み板３１は第一踏み板２１と逆方向の反時計回りに回動する。
【００３９】
このとき、本実施形態では、両端がバネ接続部２５とバネ接続部３５にそれぞれ接続された弾性バネ５１の中央部分がバネ固定部材５３により回動連結部材４０の中央部分に固定されているため、バネ接続部２５とバネ接続部３５との距離に比例して弾性バネ５１が縮むことなく、バネ接続部２５とバネ接続部３５とが近付いても弾性バネ５１は強力な弾性力を発揮することができる。
【００４０】
なお、本実施形態では、第一踏み板２１と第二踏み板３１の少なくとも一方が踏まれると、第一踏み板２１及び第二踏み板３１の双方が回動し始める。第一当接側面２２と第二当接側面３２の少なくとも一方が下方に移動すると、第一当接側面２２と第二当接側面３２との係合が外れ、弾性バネ５１により第一踏み板２１及び第二踏み板３１の双方が回動する方向に付勢されるからである。
【００４１】
図３に示す状態からさらに踏み板２１，３１が回動すると、図４に示すように、第一踏み板２１の第一後面２６と第二踏み板３１の第二後面３６とが近付き、踏み板２１，３１を踏んだ脚に踏み板２１，３１が接触し、脚を挟み込む。これにより、踏み板２１，３１の回動がストップする。
【００４２】
このとき、弾性バネ５１の強力な弾性力により、第一後面２６と第二後面３６とは強力に引き寄せられており、また、踏み板２１，３１の上面の後面２６，３６近傍に設置された鋭利な突起部２９，３９が脚に食い込んでいるため、第一踏み板２１と第二踏み板３１との間に脚を挟まれた獣が脚を抜こうとしても、なかなか抜くことができない。
【００４３】
以上、くくり罠１０の構成について詳細に説明したが、続いて、くくり罠１０の使用方法について説明する。くくり罠１０は、猪が通っていると思われる獣道に設置する。本実施形態では、くくり罠１０は、踏み板２１，３１が猪により踏まれて当接側面２２，３２側が下方に移動することで、トリガー装置２０が作動するので、トリガー装置２０を設置する場所の下に穴を掘っておくのが望ましい。
【００４４】
但し、穴を掘る代わりに、踏み板２１，３１の後面２６，３６の近傍を木の枝等の何かの台の上に置くことで踏み板２１，３１を地面より浮かして設置し、踏み板２１，３１の当接側面２２，３２が下方に移動する空間を確保するようにしても良い。
【００４５】
トリガー装置２０を地面に設置する前、又は設置した後に、ロープ部１１をセットする。具体的には、ロープ部１１のくくり輪１３の部分を踏み板２１，３１の隅に設置された4つのロープ係止部２８，３８に引っ掛けて係止させる。これにより、図１に示すように、踏み板２１，３１のほんとんどの部分がくくり輪１３の中に設置される。
【００４６】
また、ロープ部１１のくくり輪１３の反対側となる根元側は、周囲に生えている木の幹や、地面に打ち込まれた杭等、猪が暴れても動くことのない物体にしっかりと固定しておく。踏み板２１，３１の上には、落ち葉等を敷くことで、トリガー装置２０が設置されていることを目視により分からないように隠しておくのが望ましい。以上により、くくり罠１０の設置が完了する。
【００４７】
くくり罠１０の設置後、現場に現れた猪の脚により踏み板２１，３１の少なくとも一方が踏まれると、トリガー装置２０が作動し始める。具体的には、図３に示すように、第一踏み板２１と第二踏み板３１とが離れながら、第一当接側面２２と第二当接側面３２とが下方に移動することで、第一当接側面２２と第二当接側面３２との係合が外れ、弾性バネ５１の弾性力により、第一踏み板２１及び第二踏み板３１の双方が回動し始める。
【００４８】
このとき、第一後面２６と第二後面３６とは、仕掛けた状態で踏み板２１，３１が位置していた水平面よりも上方に向けて回動し、猪の脚の上部に当接して踏み板２１，３１の回動が停止する（図４参照）。このように回動が停止した状態では、突起部２９，３９が脚に食い込むと共に、弾性バネ５１により第一後面２６及び第二後面３６がさらに近付く方向に強力に引き寄せされているため、猪が暴れても、トリガー装置２０が猪の脚から容易に外れることはない。
【００４９】
また、踏み板２１，３１が回動して後面２６，３６が上昇すると、後面２６，３６近傍に設置されたロープ係止部２８，３８に係止されていたくくり輪１３も上方に持ち上げられ、通常、踏み板２１，３１を踏んだ猪の脚のくるぶしよりも上方に位置する状態となる。
【００５０】
この状態で、トリガー装置２０が脚に絡みついた猪が逃げようとすると、トリガー装置２０と一緒にくくり輪１３の部分が引っ張られる。このとき、ロープ部１１の根元側は、周囲の物体にしっかりと固定されており、猪がその場から離れると、くくり輪１３が引っ張られて輪が小さくなり、猪の脚を締め付ける。上述したようにくくり輪１３はくるぶしよりも上部に位置しており、猪が逃げようとすればするほど、くくり輪１３は小さくなって脚の上部を締め付けるため、くくり輪１３はどんどん脚から外れにくくなる。
【００５１】
以上、本実施形態によれば、簡易な構成で簡単に設置できるくくり罠１０により確実に猪を捕らえることができる。特に、本実施形態では、弱い力によりトリガー装置２０が作動せず、ある程度の所定の力以上が踏み板２１，３１に掛からないとトリガー装置２０が作動しないように構成されているため、猪が体重を掛ける前の脚を引っ込めることで、トリガー装置２０の作動中に逃げることを防ぐことができる。
【００５２】
また、本実施形態では、水平軸回りに回動可能に連結された二つの踏み板２１，３１が踏まれると、踏み板２１，３１で猪の脚を挟み込んで脚に絡むと共に、くくり輪１３は踏み板２１，３１よりも上方で脚を締め付けるように構成されているため、くくり罠１０に拘束された猪はくくり輪１３から脚を抜いて逃げ出すのが非常に困難である。
【００５３】
また、本実施形態では、トリガー装置２０の作動時に踏み板２１，３１の回動に伴ってくくり輪１３を上方に持ち上げるように構成されており、くくり輪１３を猪の脚のより上方で締め付けることができ、くくり罠１０にかかった猪はくくり輪１３から脚を抜いて逃げ出すのが非常に困難である。
【００５４】
次に、本実施形態の変形例について、図５を参照しながら説明する。図５は、本変形例に係るくくり罠の斜視図であり、作動前の仕掛けた状態を示している。上記実施形態では、第一踏み板２１と第二踏み板３１とを引き寄せるための弾性部５０において、弾性バネ５１を採用していたが、本変形例に係る弾性部５０’は、弾性バネ５１の代わりにトーションバネ６１を採用していることを特徴としている。
【００５５】
よって、ここでは上記実施形態と異なる構成を中心に説明し、上記実施形態と同様の構成については、同じ番号を付して説明を省略する。本変形例に係るロープ部１１’は、くくり輪１３を構成する締付金具１６から根元側に所定の距離離れた位置に設置された、ワイヤロープ１２にネジで固定されたストッパー１７を備えている。ストッパー１７は、くくり輪１３側に設置されたワッシャーを備えている。
【００５６】
第一踏み板２１’及び第二踏み板３１’の側面の四隅には、ワイヤロープ１２を係止するための窪みであるロープ係止用凹部２７，３７が形成されている。図５に示すように、くくり罠１０’を仕掛けた状態では、くくり輪１３が水平面上で並んで設置された第一踏み板２１’及び第二踏み板３１’の周囲を囲むように、ワイヤロープ１２のくくり輪１３の部分がロープ係止用凹部２７，３７の所を通るように設置される。
【００５７】
弾性部５０’を構成する強力なトーションバネ６１は、コイルバネの一方の端部に第一アーム６３が形成され、他方の端部に第二アーム６５が形成されている。第一アーム６３の先端には鉤状に曲げられた第一ワイヤ連結部６３ａが形成され、同じく第二アーム６５の先端には鉤状に曲げられた第二ワイヤ連結部６５ａが形成されている。
【００５８】
ワイヤ連結部６３ａ，６５ａは、くくり輪１３よりも根元側であって締付金具１６とストッパー１７との間において、ワイヤロープ１２に連結されている。ワイヤロープ１２は、鉤状のワイヤ連結部６３ａ，６５ａの内部を通されており、ワイヤ連結部６３ａ，６５ａは、ワイヤロープ１２に対してスライド自在であるが、ワイヤロープ１２から外れないように曲げられて構成されている。
【００５９】
仕掛けた状態では、第一アーム６３と第二アーム６５とが略平行となるように、コイルバネを巻き込む方向に両アーム６３，６５が閉じられており、両アーム６３，６５が開く方向に強力な弾性力がロープ部１１’に作用している。このとき、ストッパー１７はワイヤロープ１２に固定されており、トーションバネ６１は、締付金具１６をストッパー１７から離れる方向に、すなわち、締付金具１６をくくり輪１３が閉まる方向に強力に押し付けている。
【００６０】
すなわち、仕掛けた状態では、トーションバネ６１により閉まる方向に締め付けられたくくり輪１３により、第一当接側面２２と第二当接側面３２とが圧接するように、第一踏み板２１’と第二踏み板３１’とが強力に引き寄せられている。
【００６１】
このように仕掛けられたくくり罠１０’に対して、強い力で踏み板２１’，３１’の少なくとも一方が猪の脚により踏まれると、トーションバネ６１の弾性力に抗して第一踏み板２１’及び第二踏み板３１’が回動し始め、第一当接側面２２と第二当接側面３２との係合が外れる。
【００６２】
そうすると、くくり輪１３は踏み板２１’，３１’のロープ係止用凹部２７，３７から外れ、トーションバネ６１の強力な弾性力により、くくり輪１３が一気に閉じられ、猪の脚を強力に締め付ける。以上、本変形例によれば、上記実施形態と同様の作用効果を奏することができる。
【００６３】
以上、本発明の実施の形態について詳細に説明したが、本発明は上述した実施形態に限定されるものではなく、本発明の主旨を逸脱しない範囲内で種々の変形が可能である。例えば、上記実施形態に係るくくり罠を構成する部材のサイズや形状等は適宜変更可能である。
【００６４】
また、上記実施形態では、踏み板の回動軸が挿入される軸穴を長穴とし、第一踏み板と第二踏み板とが近付いたり離れたりする方向において相対的にスライド可能に構成したが、第一踏み板と第二踏み板とを相対的にスライド可能にしなくとも、踏み板の厚みが薄ければ、仕掛け時において当接側面が接触した状態の第一踏み板及び第二踏み板は遊びの範囲で回動可能である。
【符号の説明】
【００６５】
１０  くくり罠
１１  ロープ部
１２  ワイヤロープ
１３  くくり輪
１６  締付金具
２０  トリガー装置
２１  第一踏み板
２２  第一当接側面
２３  第一側面
２４  軸穴
２５  バネ接続部
２６  第一後面
２８  ロープ係止部
２９  突起部
３１  第二踏み板
３２  第二当接側面
３３  第二側面
３４  軸穴
３５  バネ接続部
３６  第二後面
３８  ロープ係止部
３９  突起部
４０  回動連結部材
４１  回動軸
４３  規制壁
５０  弾性部
５１  弾性バネ
５３  バネ固定部材
【図１】
2018007607.tif 000003
【図２】
2018007607.tif 000004
【図３】
2018007607.tif 000005
【図４】
2018007607.tif 000006
【図５】
2018007607.tif 000007